(57)【要約】【課題】  従来、熱交換換気装置の給気風路に電気集塵機を設けた装置では、熱交換換気装置を使用する際に常に電気集塵機を運転させている。また、近年は２４時間換気が推奨されており、常に換気装置を運転させることが多い。すなわち、集塵が不要な場合であっても電気集塵機を運転させることが多く、電気集塵機の運転時間の増加に伴って消費電力が増加するという課題があった。【解決手段】  本発明の換気システムは、集塵手段と、集塵手段を制御する制御手段と、対象空間の換気を行う換気装置と、対象空間への外気流入を判定する空気流入判定手段とを備えていて、空気流入判定手段の判定結果に連動して制御手段が集塵手段を動作させるように構成したことを特徴とする。【選択図】        図１
2019045090.tif 000002
【特許請求の範囲】
【請求項１】
集塵手段と、
前記集塵手段を制御する制御手段と、
対象空間の換気を行う換気装置と、
前記対象空間への外気流入を判定する空気流入判定手段と
を備え、
前記制御手段は、前記空気流入判定手段の判定結果に連動して、前記集塵手段を動作させる
ことを特徴とする換気システム。
【請求項２】
前記換気装置は給気用送風機を有し、
前記空気流入判定手段は前記給気用送風機の運転状態により外気流入の有無を判断する
ことを特徴とする請求項１に記載の換気システム。
【請求項３】
前記換気装置の給気経路における風を検知する風検知センサをさらに備え、
前記空気流入判定手段は前記風検知センサの出力により外気流入の有無を判断する
ことを特徴とする請求項１に記載の換気システム。
【請求項４】
前記換気装置は排気用送風機を有し、
前記空気流入判定手段は前記排気用送風機の運転状態により外気流入の必要有無を判断する
ことを特徴とする請求項１に記載の換気システム。
【請求項５】
前記換気装置は屋外と給気ダクトにより接続された熱交換換気装置であり、
前記集塵手段は前記給気ダクト内に設置されている
ことを特徴とする請求項２〜４のいずれか一項に記載の換気システム。
【請求項６】
前記換気装置は熱交換換気装置であり、
前記集塵手段は前記熱交換換気装置内の給気風路部に設置されている
ことを特徴とする請求項２〜４のいずれか一項に記載の換気システム。
【請求項７】
前記換気装置は給気装置および排気装置を有し、
前記集塵手段は前記給気装置の給気経路部に設置されている
ことを特徴とする請求項２〜４のいずれか一項に記載の換気システム。
【請求項８】
集塵手段と、
前記集塵手段を制御する制御手段と、
対象空間への外気流入を判定する空気流入判定手段と
を備え、
前記制御手段は、前記空気流入判定手段の判定結果に基づいて、前記集塵手段を動作させる
ことを特徴とする集塵装置。
【請求項９】
対象空間への外気の流入を判定する空気流入判定ステップと、
前記空気流入判定ステップの結果に基づき、集塵動作を行う集塵ステップと
を備えることを特徴とする集塵方法。
【発明の詳細な説明】
【技術分野】
【０００１】
本発明は、集塵装置と換気装置とを有して連動運転を行なう換気システム、および集塵装置、および集塵方法に関するものである。
【背景技術】
【０００２】
従来より、室外から室内に通じる給気風路と、室内から室外に通じる排気風路と、給気風路内に設けられた給気用送風機と、排気風路に設けられた排気用送風機と、給気風路と排気風路との交差部に設けられた熱交換器とを備え、熱交換器により給気と排気との間で熱交換を行いつつ、室内の換気を行う熱交換換気装置が知られている。
このような熱交換換気装置には、熱交換器よりも上流側の給気風路に電気集塵機を設けたもの（例えば、特許文献１）が開示されている。
【０００３】
特許文献１に記載の熱交換換気装置は、給気風路の上流に設けられた電気集塵機により室外空気に含まれる塵埃などの汚れを除去するとともに、熱交換器の内部において給気風路側から排気風路側へ圧力がかかるようにすることで、風路間の気圧差によって、給気風路に設けられた電気集塵機で発生するオゾンや過酸化水素を給気風路側から排気風路側に浸透させ、熱交換器の両風路でカビや細菌の繁殖を抑制すること、すなわち、電気集塵機により熱交換器、給気風路および排気風路を清潔に保つことを目的としている。
【先行技術文献】
【特許文献】
【０００４】
【特許文献１】特開２０１６−１６９９２０号公報
【発明の概要】
【発明が解決しようとする課題】
【０００５】
しかしながら、特許文献１に開示された熱交換換気装置は、室外空気に含まれる塵埃などの汚れを除去するとともに熱交換器の両風路でのカビや細菌の繁殖の抑制を目的としているため、熱交換換気装置を使用する際は常に電気集塵機を運転する必要がある。また、近年の住宅換気においては２４時間換気が推奨されており、常に換気装置を運転させることが多い。
すなわち、集塵が不要な場合であっても電気集塵機を運転させることが多く、電気集塵機の運転時間の増加に伴って消費電力が増加するという課題があった。
【０００６】
この発明は、上記のような課題を解決するためになされたものであり、消費電力を抑えつつ、効果的な集塵運転を行なう換気システムを提供するものである。
【課題を解決するための手段】
【０００７】
この発明にかかる換気システムは、集塵手段と、集塵手段を制御する制御手段と、対象空間の換気を行う換気装置と、対象空間への外気流入を判定する空気流入判定手段とを備えていて、空気流入判定手段の判定結果に連動して制御手段が集塵手段を動作させるように構成したことを特徴とする。
【発明の効果】
【０００８】
この発明の換気システムは上記のように構成したので、消費電力を抑えつつ、効果的な集塵運転を実施できるという効果が得られる。
【図面の簡単な説明】
【０００９】
【図１】この発明の実施の形態１にかかる換気システムを示すブロック構成図である。
【図２】この発明の実施の形態１にかかる換気システムの変形例を示すブロック構成図である。
【図３】この発明の実施の形態２にかかる換気システムを示すブロック構成図である。
【図４】この発明の実施の形態３にかかる換気システムを示すブロック構成図である。
【図５】この発明の実施の形態４にかかる集塵装置を示すブロック構成図である。
【図６】この発明の実施の形態４にかかる集塵方法を示すフローチャート図である。
【発明を実施するための形態】
【００１０】
以下、この発明にかかる換気システム、集塵装置および集塵方法の実施の形態を図面に基づいて詳細に説明する。
【００１１】
実施の形態１．
図１はこの発明の実施の形態１にかかる換気システムを示すブロック構成図である。また、図２はこの発明の実施の形態１にかかる換気システムの変形例を示すブロック構成図である。
【００１２】
まず、図１を用いて実施の形態１にかかる換気システム１００の構成を説明する。図１において、換気装置としての熱交換換気装置１は、筐体６の内部に熱交換器２、給気用送風機３、排気用送風機４、換気制御回路５を収納した構成となっている。筐体６の外郭には、空気の出入口として、給気吸込口６ａ、給気吹出口６ｂ、排気吸込口６ｃ、排気吹出口６ｄが設けられており、筐体６内部には、給気吸込口６ａから熱交換器２を経由し、給気吹出口６ｂに至る給気風路７が形成されているとともに、排気吸込口６ｃから熱交換器２を経由し、排気吹出口６ｄに至る排気風路８が形成されている。
熱交換器２は給気風路７を流れる給気流と排気風路８を流れる排気流との間で熱交換を行う。熱交換器２の内部は、給気風路７に通じて給気流が流れる一次側風路と、排気風路８に通じて排気流が流れる二次側風路とが互いに分離し、かつ交差した構造となっていて、一次側風路−二次側風路間での空気の出入りはないが、熱のやりとりすなわち熱交換が可能となっている。
【００１３】
給気用送風機３は給気風路７上の給気吹出口６ｂ側（熱交換器２に対し下流側）に設置され、排気用送風機４は排気風路８上の排気吹出口６ｄ側（熱交換器２に対し下流側）に設置されている。
換気制御回路５は、給気用送風機３、排気用送風機４の運転・停止を制御する。
給気用フィルタ９は、給気風路７内に設置され、給気流中に含まれる塵埃などを捕集する。また、排気用フィルタ１０は、排気風路８内に設置され、排気流中に含まれる塵埃などを捕集する。
【００１４】
熱交換換気装置１の給気吸込口６ａには屋外側給気ダクト１４ａが接続され、屋外吸込口１５ａで屋外と連通している。また、給気吹出口６ｂには室内側給気ダクト１４ｂが接続され、室内吹出口１５ｂで室内と連通している。さらに、排気吸込口６ｃには室内側排気ダクト１４ｃが接続され、室内吸込口１５ｃで室内と連通している。また、排気吹出口６ｄには屋外側排気ダクト１４ｄが接続され、屋外吹出口１５ｄで屋外と連通している。
【００１５】
屋外側給気ダクト１４ａの途中には集塵手段として電気集塵機１１が設置されている。電気集塵機１１は制御手段としての制御装置１２と信号線１６によって接続されている。また、制御装置１２は空気流入判定手段としての空気流入判定器１３と信号線１６によって接続されている。さらに、空気流入判定器１３は熱交換換気装置１の給気用送風機３と信号線１６によって接続されている。
なお、電気集塵機１１は、図には示さないが、通風路を挟んで対向する金属製のプラス電極およびアース電極と、通風路の後段に配置されてアース電極と同電位の集塵フィルタとで構成されている。
【００１６】
次に、実施の形態１にかかる換気システム１００の動作について説明する。
使用者がリモコン装置（図示せず）などを操作することにより、熱交換換気装置１へ運転操作信号が送られると、その運転操作信号を受けて換気制御回路５が給気用送風機３および排気用送風機４に運転指令を送る。それによって、給気用送風機３および排気用送風機４が運転を開始する。給気用送風機３の運転により、図１に示すように給気流Ａが発生する。すなわち、屋外の空気が屋外吸込口１５ａから屋外側給気ダクト１４ａを経由し、給気風路７と熱交換器２を経て、室内側給気ダクト１４ｂを経由して室内吹出口１５ｂから室内に供給される。また、排気用送風機４の運転により、図１に示すように排気流Ｂが発生する。すなわち、室内の空気が室内吸込口１５ｃから室内側排気ダクト１４ｃを経由し、排気風路８と熱交換器２を経て、屋外側排気ダクト１４ｄを経由して屋外吹出口１５ｄから屋外に排出される。
【００１７】
電気集塵機１１は、室外から屋外側給気ダクト１４ａを介して取り込まれた空気に含まれる塵埃やＰＭ２．５などの微小粒子物質を捕集する。すなわち、電気集塵機１１の動作によって塵埃等が除去された清浄な空気が室内に供給される。電気集塵機１１は給気用フィルタ９では捕集できない微小粒子物質も捕集可能であるため、電気集塵機１１の設置によって熱交換換気装置１内の給気用フィルタ９を省くことも可能である。
なお、電気集塵機１１の動作としては、電気集塵機１１のプラス電極とアース電極間に１０ｋＶ程度の高電圧を印加して放電空間を形成することで、放電空間を通過する塵埃等を帯電させ、帯電した塵埃等をアース電極と同電位の集塵フィルタにクーロン力で吸着させて集塵するものである。
【００１８】
ところで、冬季においては、給気吸込口６ａから熱交換換気装置１内部に冷たい室外空気が入り込むことによって、熱交換器２が氷結したり、熱交換換気装置１自体が結露するという問題が発生することがある。その熱交換器２の氷結や熱交換換気装置１の結露を防止するために、換気制御回路５が図示しない温度センサによって検出された室外空気の温度に基づいて、給気用送風機３の運転を停止して屋外からの冷たい空気の取り込みを停止する場合がある。
また、室外からの空気は、熱交換器２により熱交換されたあと室内に供給されるが、室内空気に比べて冷たいため、冷風感を嫌う使用者が自身でリモコン装置などによる操作を行って給気を停止することもある。
【００１９】
このような理由により、熱交換換気装置１の給気を停止すなわち給気用送風機３を停止した場合、給気用送風機３の停止情報を空気流入判定器１３が取得し、屋外から給気風路７を介して室内に至る給気流がなくなった、すなわち屋外からの空気流入がなくなったと判断して、その情報を制御装置１２に送る。制御装置１２は、屋外からの空気流入がないため、集塵の必要がないと判断して、電気集塵機１１の動作を停止させる。
【００２０】
なお、室外空気が熱交換器２の氷結や熱交換換気装置１の結露が発生しない温度に戻ったことによって換気制御回路５が給気用送風機３の運転を再開した場合や、使用者自身がリモコン装置などによる操作を行って給気用送風機３の運転を再開した場合は、給気用送風機３の運転再開の情報を空気流入判定器１３が取得し、その情報を制御装置１２に送る。制御装置１２は、屋外からの空気流入があるため、集塵の必要があると判断して、電気集塵機１１を運転させる。
【００２１】
このように、給気用送風機３の運転や停止に連動して電気集塵機１１を運転あるいは停止させることにより、電気集塵機１１の不要な動作を回避し、無駄な電力の消費を低減させることができる。
また、電気集塵機１１の不要動作が減れば、電気集塵機１１のメンテナンス回数を削減することができる。さらに、電気集塵機１１の不要動作が減れば、過度なオゾン発生を抑制することになり、オゾンの独特な臭いを軽減して不快感を少なくするという効果もある。
【００２２】
なお、図１では、換気装置として熱交換換気装置１を用いた換気システムを例に挙げて説明したが、例えば熱交換換気装置１の代わりに給気用換気装置を用いた換気システムであっても、給気用換気装置の給気用送風機の運転や停止に連動して電気集塵機１１を運転あるいは停止させることにより、電気集塵機１１の不要な動作を回避して無駄な電力の消費を低減させることができ、同様の効果が得られる。
【００２３】
また、図１では、電気集塵機１１の運転／停止を給気用送風機３の運転／停止に連動させる例を示したが、給気用送風機３の風量（ファンの回転数）に連動させるようにしてもよい。例えば、給気用送風機３のファン回転数を５段階のノッチで切替変更できる換気装置の場合、回転数が大となる３ノッチ以上は電気集塵機１１を連動運転させ、回転数が小である２ノッチ以下の場合は、風量が少ないので屋外から取り込む空気の絶対量が少なく、集塵する必要が生じるほど室内空気が汚れないと判断して、電気集塵機１１を停止させるものである。この場合も、電気集塵機１１の不要な動作を回避して無駄な電力の消費を低減させることになる。なお、電気集塵機１１の運転／停止を切り替えるノッチの段階は、制御装置１２に設けたスイッチなどの手段により、任意に変更できるようにしてもよい。
【００２４】
また、図１では、熱交換換気装置１外に、空気流入判定手段としての空気流入判定器１３および制御手段としての制御装置１２を設置し、熱交換換気装置１の給気用送風機３の運転／停止により空気流入判定器１３が空気の流入を検出し、制御装置１２に伝えて、制御装置１２が電気集塵機１１の運転／停止を制御する構成としたが、熱交換換気装置１内の換気制御回路５が空気流入判定手段および制御手段の機能を兼ね備え、給気用送風機３の運転／停止を受けて、電気集塵機１１の運転／停止を直接制御する構成としてもよい。
【００２５】
次に、図２を用いて実施の形態１にかかる換気システムの変形例について説明する。
図２の換気システム２００において、屋外側給気ダクト１４ａ内に風検知センサとしての風速センサ１７が設けられ、空気流入判定器１３と信号線１６により接続されている。その他の構成は図１と同じであるため、説明を省略する。
【００２６】
図２に示した変形例の動作について説明する。熱交換換気装置１の給気用送風機３を運転させて屋外空気を取り込み始めると、屋外側給気ダクト１４ａから給気風路７、室内側給気ダクト１４ｂに通じる給気流Ａが発生する。その給気流を風速センサ１７が検出し、空気流入判定器１３へと伝える。空気流入判定器１３は風速センサ１７による検出信号とあらかじめ設定された閾値とを比較し、閾値以上か否かを制御装置１２に伝える。制御装置１２は、検出信号が閾値以上の場合に電気集塵機１１を運転させ、検出信号が閾値未満の場合に電気集塵機１１を停止させる。すなわち、給気流の風速があるレベル以上であれば外気取込みによる室内空気の汚染もあるレベル以上になると判断し、電気集塵機１１を運転させるものである。
なお、風検知センサとしては、上述した風速センサ１７の代わりに風量センサや風圧センサを用いてもよい。また、風検知センサは、屋外側給気ダクト１４ａ内への設置に限らず、換気装置１の給気風路７内あるいは屋内側給気ダクト１４ｂ内など換気システム２００の給気経路上の何れかに設置されてもよい。
【００２７】
このように、実施の形態１の変形例においては、給気経路上の風検知センサの出力に連動して電気集塵機１１を運転あるいは停止させることにより、電気集塵機１１の不要な動作を回避し、無駄な電力の消費を低減させることができる。
【００２８】
なお、図２では、熱交換換気装置１外に、空気流入判定手段としての空気流入判定器１３および制御手段としての制御装置１２を設置し、風検知センサとしての風速センサ１７の検出信号により空気流入判定器１３が空気の流入を検出し、制御装置１２に伝えて、制御装置１２が電気集塵機１１の運転／停止を制御する構成としたが、熱交換換気装置１内の換気制御回路５が空気流入判定手段および制御手段の機能を兼ね備え、風速センサ１７の検出信号を受けて、電気集塵機１１の運転／停止を制御する構成としてもよい。
【００２９】
実施の形態１では上記のように構成されているため、屋外から室内への空気の流入があると判定した場合には集塵手段を運転させ、空気の流入がないと判定した場合には集塵手段を停止させるので、集塵手段の不要な動作を回避して無駄な電力の消費を低減させることができる。
また、集塵手段の不要動作が減るので、集塵手段のメンテナンス回数を削減することができる。さらに、集塵手段が電気集塵機の場合には、不要動作が減ることによって、過度なオゾン発生が抑制され、独特な臭いによる不快感を軽減することができる。
【００３０】
実施の形態２.
実施の形態１にかかる換気システムでは、換気装置と屋外とを連結している給気ダクト内に集塵手段を設置する構成とした。実施の形態２にかかる換気システムでは、集塵手段を換気装置内に設置する構成としたものである。
図３はこの発明の実施の形態２にかかる換気システムのブロック構成図である。
【００３１】
まず、実施の形態２にかかる換気システム３００の構成について説明する。
図３において、集塵手段としての電気集塵機１１が、換気システム３００における換気装置１の給気吸込口６ａから熱交換器２までの間の給気風路７内に設置されている。また、同じ給気風路７内に風検知センサとしての風速センサ１７が設置され、換気装置１内に空気流入判定手段としての空気流入判定器１３および制御手段としての制御装置１２が設置されている。風速センサ１７と空気流入判定器１３、空気流入判定器１３と制御装置１２、制御装置１２と電気集塵機１１とはそれぞれ信号線により接続されている。また、給気用フィルタ９は、給気風路７内の電気集塵機１１の上流側に設置されているものとする。
その他の給気ダクト、排気ダクト等の構成は実施の形態１（図１、図２）と同じであるため図示および説明を省略する。
【００３２】
次に、実施の形態２における換気システム３００の動作について、図３を用いて説明する。
換気装置１の給気用送風機３が運転を開始すると、屋外の空気が給気吸込口６ａから給気風路７内に取り込まれ、風速センサ１７設置部、給気用フィルタ９部、電気集塵機１１部を経由し、熱交換器２を通過、給気吹出口６ｂを通って室内へと供給される。この空気の流れすなわち給気流により、風速センサ１７は風速を検出し、空気流入判定器１３に伝える。空気流入判定器１３はその風速がある閾値以上になった場合、屋外から室内への空気流入が生じていると判断し、制御装置１２に伝える。制御装置１２はその情報に基づき、電気集塵機１１に動作を開始させる。
また、換気装置１の給気用送風機３が運転を停止すると、給気流がなくなるため、風速センサ１７が風速を検知しなくなる。それを受けて、空気流入判定器１３は室内への空気流入がないと判断し、制御装置１２は電気集塵機１１の運転を停止させる。
【００３３】
従って、実施の形態２の構成においても、室内への空気流入の有無に基づいて電気集塵機１１を運転あるいは停止させることにより、電気集塵機１１の不要な動作を回避し、無駄な電力の消費を低減させることができる。
また、電気集塵機１１の不要動作が減れば、電気集塵機１１のメンテナンス回数を削減することができる。さらに、電気集塵機１１の不要動作が減れば、過度なオゾン発生を抑制することになり、オゾンの独特な臭いを軽減して不快感を少なくすることができる。
【００３４】
なお、実施の形態２では、電気集塵機１１、風速センサ１７、空気流入判定器１３、制御装置１２を換気装置１内に内蔵する構成としているため、実施の形態１のように電気集塵機１１や風速センサ１７をダクト配管内に設置する作業や、空気流入判定器１３、制御装置１２を設置し、それぞれを配線する作業が不要となる。また、ダクト配管内における電気集塵機１１、風速センサ１７の設置スペースの確保や、空気流入判定器１３、制御装置１２の設置スペースの確保等も不要となる。すなわち、電気集塵機１１等を換気装置内に内蔵する構成により、本願換気システムの設置工事の作業性が向上するという効果が得られる。
【００３５】
また、実施の形態２では、給気用フィルタ９を電気集塵機１１の上流側に設置する構成とした。給気用フィルタ９は電気集塵機１１の下流側でも構わないが、上流側に設置してあれば、まず前段の給気用フィルタ９で室外空気に含まれる埃等の大きなゴミを捕集し、次に給気用フィルタ９では捕集できない塵埃やＰＭ２．５などの微小粒子物質を電気集塵機１１にて捕集することになる。すなわち、電気集塵機１１ではある程度清浄化された空気に対して集塵動作を行うことになるので、電気集塵機のメンテナンス回数をさらに削減することが可能である。
【００３６】
また、実施の形態２では、空気流入判定器１３は風速センサ１７が検知した風速によって空気の流入を判断する構成としたが、実施の形態１に示したように給気用送風機３の運転状態に基づいて空気の流入を判断する構成としてもよい。
【００３７】
また、実施の形態２では、熱交換換気装置１内に、空気流入判定手段としての空気流入判定器１３および制御手段としての制御装置１２を設置し、風検知センサとしての風速センサ１７の検出信号により空気流入判定器１３が空気の流入を検出し、制御装置１２に伝えて、制御装置１２が電気集塵機１１の運転／停止を制御する構成としたが、熱交換換気装置１内の換気制御回路５が空気流入判定手段および制御手段の機能を兼ね備え、風速センサ１７の検出信号を受けて、電気集塵機１１の運転／停止を制御する構成としてもよい。
【００３８】
実施の形態２では上記のように構成されているため、実施の形態１と同様、集塵手段の不要な動作を回避して無駄な電力の消費を低減させることができる。また、集塵手段のメンテナンス回数を削減することや、集塵手段が電気集塵機の場合にはオゾンの発生に伴う独特な臭いを軽減して不快感を少なくすることができる。
また、集塵手段、風検知センサ、空気流入判定手段、制御手段を換気装置内に内蔵する構成とすることにより、それらをダクト配管内などに設置するためのスペース確保、設置作業、配線作業が不要となるため、設置工事の作業性が大幅に改善される。
【００３９】
実施の形態３.
実施の形態１、２における換気システムでは、給気機能と排気機能とが一体化された換気装置と、集塵手段とを有する構成とした。実施の形態３における換気システムでは、給気用換気装置と排気用換気装置とが独立に設置され、さらに集塵手段を設置する構成としたものである。
図４はこの発明の実施の形態３にかかる換気システムのブロック構成図である。
【００４０】
まず、実施の形態３における換気システム４００の構成について説明する。
図４において、換気の対象空間である部屋と屋外との間に、給気装置１８が設置されている。屋外と給気装置１８とは、屋外に面した屋外吸込口１５ａから屋外側給気ダクト１４ａを介して接続されている。給気装置１８の吹出口は室内に面している。給気装置１８には給気用フィルタ９、給気用送風機３、給気制御回路５ａが内蔵されており、給気用送風機３は給気制御回路５ａによって運転／停止を制御される。また、屋外側給気ダクト１４ａ内に集塵手段として電気集塵機１１が設置され、信号線１６で制御手段としての制御装置１２と接続されている。さらに、制御装置１２は信号線により室内に設置された受信部２１と接続されている。
【００４１】
また、換気の対象空間である部屋と屋外との間に、排気装置１９が設置されている。排気装置１９と屋外とは、屋外側排気ダクト１４ｄを介して、屋外に面した屋外吹出口１５ｄで接続されている。排気装置１９の吸込口は室内に面している。排気装置１９には排気用フィルタ１０、排気用送風機４、排気制御回路５ｂが内蔵されており、排気用送風機４は排気制御回路５ｂによって運転／停止を制御される。また、空気流入判定手段として空気流入判定器１３が設置され、信号線で排気用送風機４と接続されている。さらに、空気流入判定器１３は信号線により室内に設置された送信部２０と接続されている。
【００４２】
次に、実施の形態３における換気システム４００の動作について、図４を用いて説明する。
給気装置１８が給気運転を行なう場合、        給気用送風機３が運転するので、その運転状態を受けて制御装置１２が電気集塵機１１に運転指令を出す。すなわち、給気装置１８の給気運転により屋外から取り込まれた空気は、電気集塵機１１の動作によって清浄化されてから室内に供給される。給気装置１８が給気運転を停止する場合は、              給気用送風機３が停止するので、その停止状態を受けて制御装置１２が電気集塵機１１に停止指令を出す。
したがって、給気装置１８の運転／停止に連動して電気集塵機１１が動作するため、電気集塵機１１の不要な動作を回避し、無駄な電力の消費を低減させることができる。
【００４３】
ここで、給気装置１８が運転停止しているときに、使用者がリモコンなどの操作を行って排気装置１９の運転を開始させた場合を考える。排気装置１９内の排気用送風機４が運転し、室内の空気を屋外に排気し始めると、給気装置１８が運転していないことにより、室内の気圧が負圧になるため、室外から給気することが望ましい状態となる。空気流入判定器１３は、排気装置１９内の排気用送風機４が運転状態になったことを受けて室内の負圧を認識し、屋外からの給気が必要であると判断して、送信部２０を介して給気装置１８へ動作開始を指令する。具体的には送信部２０から受信部２１に向けて赤外線による指令信号を送信する。受信部２１は受信した指令信号を制御装置１２に伝え、制御装置１２がそれを受けて、給気装置１８の給気用送風機３に運転指令を送るとともに、電気集塵機１１を運転させる。給気用送風機３の運転により、屋外から室内への給気が行われ、室内の負圧が解消される。このとき、屋外から取り込んだ空気は電気集塵機１１の運転により清浄化されてから、室内に供給される。
なお、制御装置１２から直接給気用送風機３に運転指令を送らず、給気装置１８の給気制御回路５ａを介して給気用送風機３を運転する構成にしてもよい。
【００４４】
また、排気装置１９の運転を停止させた場合には、給気装置１８が運転を継続すると室内が正圧になるため、給気を停止するのが望ましいとして、空気流入判定器１３→送信部２０→受信部２１→制御装置１２へと信号を送り、給気用送風機３の運転および電気集塵機１１の運転を停止させる。
すなわち、排気装置１９の運転／停止に連動して、給気用送風機３を自動的に運転／停止させるとともに電気集塵機１１の運転／停止も連動させる。したがって、電気集塵機１１は屋外から室内に給気するときだけ動作するため、電気集塵機１１の不要な動作を回避し、無駄な電力の消費を低減させることができる。
【００４５】
なお、実施の形態３では、送信部２０および受信部２１による通信の手段として赤外線通信を例にあげて説明したが、無線ＬＡＮ等の近距離無線通信を用いて実施してもよい。また、空気流入判定器１３と制御装置１２とを直接信号線で接続し、有線通信により通信してもよい。また、排気装置１９の排気用送風機４の運転／停止に連動して、給気装置１８の給気用送風機３および電気集塵機１１の運転／停止を制御する例を説明したが、排気装置１９の排気風量言い換えれば排気用送風機４の運転ノッチに対応させて給気装置１８の給気用送風機３および電気集塵機１１の運転／停止を制御してもよい。
【００４６】
また、実施の形態３では、排気装置１９や給気装置１８とは別に、空気流入判定手段としての空気流入判定器１３および制御手段としての制御装置１２を設置し、空気流入判定器１３が排気用送風機４の運転／停止によって空気の流入の要否を判断し、制御装置１２に伝えて、制御装置１２が電気集塵機１１の運転／停止を制御する構成としたが、排気装置１９内の排気制御回路５ｂが空気流入判定手段の機能を兼ね備え、また、給気装置１８内の給気制御回路５ａが制御手段の機能を兼ね備えることによって、排気制御回路５ｂが排気用送風機４の運転／停止を受け、送信部２０および受信部２１を介して、給気制御回路５ａにその情報を伝え、給気制御回路５ａが給気用送風機３および電気集塵機１１の運転／停止を制御する構成としてもよい。
【００４７】
また、実施の形態３では、給気装置１８に接続される屋外側給気ダクト１４ａ内に電気集塵機１１を設置した例で説明したが、電気集塵機１１を給気装置１８の中に内蔵する構成でもよい。すなわち、外部からの給気経路上に設置されていればよい。
【００４８】
また、実施の形態３では、給気装置１８および排気装置１９それぞれ１台ずつを有する構成の換気システムについて説明したが、排気装置１９が複数台ある換気システムであってもよい。
たとえば、複数台ある排気装置１９のうちの運転状態になっている排気装置１９の台数に応じて、給気装置１８および電気集塵機１１を運転させるようにしてもよい。排気装置１９の運転台数が多ければ、室内の負圧の度合いが大きくなることから、給気装置１８の運転が必要と判断し、それに伴って流入する空気を清浄化するために電気集塵機１１を運転させる。排気装置１９の運転台数が少なければ、室内の負圧の度合いが小さいことから、給気装置１８の運転は不要と判断し、空気の流入も発生しないため、電気集塵機１１を停止させる。すなわち、必要に応じて電気集塵機１１を運転するため、無駄な電力の消費を抑えることができる。
【００４９】
実施の形態３では上記のように構成されているため、実施の形態１、２と同様、集塵手段の不要な動作を回避して無駄な電力の消費を低減させることができる。また、集塵手段のメンテナンス回数を削減することや、集塵手段が電気集塵機の場合にはオゾンの発生に伴う独特な臭いを軽減して不快感を少なくすることができる。
また、給気装置と排気装置が独立して設置されている換気システムにおいて、排気装置の運転動作に連動して、給気動作および集塵動作を実施することが可能となるため、室内と室外の気圧差も含めて、より快適な空気状態とするための運転制御を実現することができる。
【００５０】
実施の形態４.
実施の形態１〜３においては、給気ダクト内あるいは換気装置の給気風路内に集塵手段を設置する構成の換気システムを示した。実施の形態４においては、換気装置とは独立した集塵装置の例を示すものである。
図５はこの発明の実施の形態４にかかる集塵装置のブロック構成図である。
【００５１】
まず、実施の形態４における集塵装置５００の構成について説明する。
図５において、集塵装置５００は、集塵の対象となる室内空間への空気の流入を判定する空気流入判定手段１３と、制御手段１２と、室内空間の集塵を行う集塵手段１１によって構成されている。空気流入判定手段１３、制御手段１２、集塵手段１１はそれぞれ信号線により接続され、相互に信号の授受が可能となっている。また、空気流入判定手段１３、制御手段１２、集塵手段１１は必ずしも一つの筐体内に設置される必要はなく、それぞれ分散して設置されてもいい。その場合、信号線によらず、赤外線や無線による信号の授受を行う構成でもよい。
【００５２】
次に、実施の形態４における集塵装置５００の動作について、図５を用いて説明する。
空気流入判定手段１３が集塵装置５００を設置している室内空間への空気の流入（例えば屋外から、あるいは他の部屋から）があると判定した場合、空気流入判定手段１３はその情報を制御手段１２に送る。制御手段１２は、流入した空気が塵埃等により汚染されている可能性があると判断し、集塵手段１１に運転開始の指令を送る。これによって集塵手段１１が運転動作を開始し、対象となる部屋空間の集塵前の空気２３を取り込み、そこに含まれる塵埃を捕集した後、清浄化された集塵後の空気２４として室内に供給する。
【００５３】
このように、換気装置から独立した集塵装置であっても、その室内への空気の流入の有無を判定し、それに基づいて集塵動作を実施させる構成とすることが可能である。外部からの空気流入があるときに集塵動作を実施し、外部からの空気流入がないときに集塵動作を停止するので、効果的でかつ無駄な電力を消費しない集塵を実施することができる。
【００５４】
たとえば、給気装置を設置していない部屋では、実施の形態１〜３のように給気装置内や給気ダクト部に集塵手段を設置することができない。しかし、排気装置が設置されていて、その排気装置が運転されることによって部屋内が負圧となると、高密閉度の部屋でない限りはドアの隙間などから外部の空気が入ってくると考えられる。したがって、排気動作により、室外から塵埃等を含んだ空気が侵入してくることが考えられる。
そのような場合、実施の形態４に示した集塵装置を部屋内に設置し、空気流入判定手段を排気装置の排気用送風機と接続する構成とすれば、排気運転の開始すなわち排気用送風機の運転開始に連動して、集塵手段が動作し、また、排気運転の停止に連動して、集塵手段も停止する。
【００５５】
また、排気装置と連動しない構成も可能である。対象の部屋において空気がより侵入しやすい箇所を想定し、その箇所に、実施の形態１の変形例に示したような風を検知するセンサを設置して、それによって空気流入判定手段が空気の流入を判断する構成としてもよい。
実施の形態１〜３のように給気装置内や給気ダクト部に集塵手段を設置できれば効率的に集塵可能であるが、実施の形態４のように部屋内の任意の場所に集塵装置を設置し、外部からの空気流入に連動して動作させることでも、効果的かつ無駄な電力を使わない集塵動作が可能である。
【００５６】
実施の形態４に示したような、空気流入手段、制御手段、集塵手段を有する集塵装置の構成は、実施の形態１〜３の動作を含む基本的な集塵方法を示すものである。図６は、その集塵方法をフローチャート図で示したものである。
図６を用いて、本願の基本的な集塵方法について説明する。
まず、ステップＳ１で、外部から集塵対象空間への空気の流入があるか否かを判定する（空気流入判定ステップ）。
空気の流入があれば（ＹＥＳ）、ステップＳ２に進み、集塵動作を開始（ＯＮ）する（集塵ステップ）。
空気の流入がなければ（ＮＯ）、ステップＳ３に進み、集塵動作を停止（ＯＦＦ）する。
これによって、必要なときに集塵動作を実施し、不要なときに集塵動作を停止するため、効果的でかつ無駄な電力を消費しない集塵動作を実施することができる。
【００５７】
実施の形態４では上記のように構成されているため、実施の形態１〜３と同様、集塵装置の不要な動作を回避して無駄な電力の消費を低減させることができる。
また、必要なときに集塵動作を実施して不要なときに集塵動作を停止する集塵方法により、効果的でかつ電力消費を抑えた集塵を行うことができる。
【符号の説明】
【００５８】
１  熱交換換気装置
３  給気用送風機
４  排気用送風機
７  給気風路
１１  電気集塵機
１２  制御装置
１３  空気流入判定器
１４ａ  屋外側給気ダクト
１７  風速センサ
１８  給気装置
１９  排気装置
１００、２００、３００、４００  換気システム
５００  集塵装置
【図１】
2019045090.tif 000003
【図２】
2019045090.tif 000004
【図３】
2019045090.tif 000005
【図４】
2019045090.tif 000006
【図５】
2019045090.tif 000007
【図６】
2019045090.tif 000008